【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
画像供給装置から画像データを受信して印刷する印刷装置であって、
前記画像供給装置における印刷機能を記述した第１スクリプトを、前記画像供給装置から受信する受信手段と、
前記受信手段により受信した前記１スクリプトがＸＨＴＭＬによる印刷に対応することを記述している場合、当該記述に対応する印刷が可能かどうかを判定する判定手段と、
前記判定手段が印刷可能と判定すると、前記印刷装置で実行可能な印刷機能を記述した第２スクリプトを前記画像供給装置に送信する送信手段と、
前記判定手段が前記記述に対応する印刷が可能であると判定した場合に、前記画像供給装置から画像データを受信して印刷するモードに移行する手段と、
を有することを特徴とする印刷装置。
【請求項２】
前記第１スクリプトは、印刷対象の画像データの格納先情報と、前記画像供給装置と前記印刷装置との間で使用される通信プロトコルでの前記画像データの識別情報とのリンク情報を含み、
前記印刷装置は、前記画像データの識別情報と前記リンク情報に基づいて印刷対象の画像データの格納先情報を取得し、当該格納先情報に対応する格納先から前記印刷対象の画像データをロードする手段を更に有することを特徴とする請求項１に記載の印刷装置。
【請求項３】
印刷装置に画像データを供給して印刷させる画像供給装置であって、
前記画像供給装置において対応可能なＸＨＴＭＬによる印刷機能を記述した第１スクリプトを前記印刷装置に送信する送信手段と、
前記送信手段により送信した前記第１スクリプトに応答して、前記印刷装置から送信される前記印刷装置における印刷機能を記述した第２スクリプトを受信する受信手段と、
前記受信手段により受信した前記第２スクリプトの記述に基づいて、前記画像供給装置からのＸＨＴＭＬによる印刷が前記印刷装置において可能かどうかを判定する判定手段と、
前記判定手段が前記ＸＨＴＭＬによる印刷が可能であると判定した場合に、前記印刷装置にＸＨＴＭＬによる印刷データを送信して印刷させるモードに移行する手段と、を有することを特徴とする画像供給装置。
【請求項４】
前記第１スクリプトは、印刷対象の画像データの格納先情報と、前記画像供給装置と前記印刷装置との間で使用される通信プロトコルでの前記画像データの識別情報とのリンク情報を含むことを特徴とする請求項３に記載の画像供給装置。
【請求項５】
前記第１スクリプトは、前記印刷装置のフォントを使用した印刷機能の有無、画像データのエンコーディング方法及び印刷方法を記述した情報の少なくともいずれかを含むことを特徴とする請求項３又は４に記載の画像供給装置。
【請求項６】
画像供給装置と印刷装置とを有し、前記画像供給装置から前記印刷装置に画像データを供給して印刷させる印刷システムであって、
画像供給装置において対応可能なＸＨＴＭＬによる印刷機能を記述した第１スクリプトを印刷装置に送信する送信手段と、
前記印刷装置で受信した前記１スクリプトがＸＨＴＭＬによる印刷に対応することを記述している場合、当該記述に対応する印刷が可能かどうかを判定する判定手段と、
前記判定手段が印刷可能と判定すると、前記印刷装置で実行可能な印刷機能を記述した第２スクリプトを前記画像供給装置に送信する送信手段と、
前記第２スクリプトの記述に基づいて、前記画像供給装置からのＸＨＴＭＬによる印刷が前記印刷装置において可能かどうかを判断する判断手段と、
前記判断手段が前記ＸＨＴＭＬによる印刷が可能であると判断した場合に、前記画像供給装置から前記印刷装置にＸＨＴＭＬによる印刷データを送信して印刷させるモードに移行する手段と、
を有することを特徴とする印刷システム。
【請求項７】
前記第１スクリプトは、印刷対象の画像データの格納先情報と、前記画像供給装置と前記印刷装置との間で使用される通信プロトコルでの前記画像データの識別情報とのリンク情報を含むことを特徴とする請求項６に記載の印刷システム。
【請求項８】
画像供給装置から画像データを受信して印刷する印刷装置の制御方法であって、
前記画像供給装置における印刷機能を記述した第１スクリプトを、前記画像供給装置から受信する受信工程と、
前記受信工程で受信した前記１スクリプトがＸＨＴＭＬによる印刷に対応することを記述している場合、当該記述に対応する印刷が可能かどうかを判定する判定工程と、
前記判定工程で印刷が可能であると判定すると、前記印刷装置で実行可能な印刷機能を記述した第２スクリプトを前記画像供給装置に送信する送信工程と、
前記判定工程で前記記述に対応する印刷が可能であると判定した場合に、前記画像供給装置から画像データを受信して印刷するモードに移行する工程と、
を有することを特徴とする印刷装置の制御方法。
【請求項９】
前記第１スクリプトは、印刷対象の画像データの格納先情報と、前記画像供給装置と前記印刷装置との間で使用される通信プロトコルでの前記画像データの識別情報とのリンク情報を含み、
前記画像データの識別情報と前記リンク情報に基づいて印刷対象の画像データの格納先情報を取得し、当該格納先情報に対応する格納先から前記印刷対象の画像データをロードする工程を更に有することを特徴とする請求項８に記載の印刷装置の制御方法。
【請求項１０】
印刷装置に画像データを供給して印刷させる画像供給装置の制御方法であって、
前記画像供給装置において対応可能なＸＨＴＭＬによる印刷機能を記述した第１スクリプトを前記印刷装置に送信する送信工程と、
前記送信工程で送信した前記第１スクリプトに応答して、前記印刷装置から送信される前記印刷装置における印刷機能を記述した第２スクリプトを受信する受信工程と、
前記受信工程で受信した前記第２スクリプトの記述に基づいて、前記画像供給装置からのＸＨＴＭＬによる印刷が前記印刷装置において可能かどうかを判定する判定工程と、
前記判定工程で前記ＸＨＴＭＬによる印刷が可能であると判定した場合に、前記印刷装置にＸＨＴＭＬによる印刷データを送信して印刷させるモードに移行する工程と、
を有することを特徴とする画像供給装置の制御方法。
【請求項１１】
前記第１スクリプトは、印刷対象の画像データの格納先情報と、前記画像供給装置と前記印刷装置との間で使用される通信プロトコルでの前記画像データの識別情報とのリンク情報を含むことを特徴とする請求項１０に記載の画像供給装置の制御方法。
【請求項１２】
前記第１スクリプトは、前記印刷装置のフォントを使用した印刷機能の有無、画像データのエンコーディング方法及び印刷方法を記述した情報の少なくともいずれかを含むことを特徴とする請求項１０又は１１に記載の画像供給装置の制御方法。
【請求項１３】
画像供給装置と印刷装置とを有し、前記画像供給装置から前記印刷装置に画像データを供給して印刷させる印刷システムの制御方法であって、
画像供給装置において対応可能なＸＨＴＭＬによる印刷機能を記述した第１スクリプトを印刷装置に送信する送信工程と、
前記印刷装置で受信した前記１スクリプトがＸＨＴＭＬによる印刷に対応することを記述している場合、当該記述に対応する印刷が可能かどうかを判定する判定工程と、
前記判定工程で印刷が可能であると判定すると、前記印刷装置で実行可能な印刷機能を記述した第２スクリプトを前記画像供給装置に送信する送信工程と、
前記第２スクリプトの記述に基づいて、前記画像供給装置からのＸＨＴＭＬによる印刷が前記印刷装置において可能かどうかを判断する判断工程と、
前記判断工程で前記ＸＨＴＭＬによる印刷が可能であると判断した場合に、前記画像供給装置から前記印刷装置にＸＨＴＭＬによる印刷データを送信して印刷させるモードに移行する工程と、
を有することを特徴とする印刷システムの制御方法。
【請求項１４】
前記第１スクリプトは、印刷対象の画像データの格納先情報と、前記画像供給装置と前記印刷装置との間で使用される通信プロトコルでの前記画像データの識別情報とのリンク情報を含むことを特徴とする請求項１３に記載の印刷システムの制御方法。
【請求項１５】
画像供給装置から画像データを受信して印刷する印刷装置であって、
前記画像供給装置における所定の印刷機能の有無を記述した第１スクリプトを、前記画像供給装置から受信する受信手段と、
前記受信手段により受信した前記１スクリプトが前記所定の印刷機能で規定されていない機能による印刷に関する記述が含まれているか否かに応じて、前記印刷装置で実行可能な印刷機能を記述した第２スクリプトを異ならせて送信する送信手段と、
前記記述に対応する，前記所定の印刷機能で規定されていない機能による印刷が可能であると判定した場合に、前記画像供給装置から画像データを受信して印刷するモードに移行する手段と、
を有することを特徴とする印刷装置。
【請求項１６】
印刷装置に画像データを供給して印刷させる画像供給装置であって、
前記画像供給装置における所定の印刷機能に関する情報を記述した第１スクリプトを、前記印刷装置に送信する送信手段と、
前記送信手段により送信した前記第１スクリプトに応答して、前記印刷装置から送信される前記印刷装置における印刷機能に関する情報を記述した第２スクリプトを受信する受信手段と、
前記受信手段により受信した前記第２スクリプトの記述に基づいて、前記画像供給装置からの所定の印刷機能で規定されていない機能による印刷が前記印刷装置において可能かどうかを判定する判定手段と、
前記判定手段が前記所定の印刷機能で規定されていない機能による印刷が可能であると判定した場合に、前記印刷装置に所定の印刷機能で規定されていない機能による印刷データを送信して印刷させるモードに移行する手段と、
を有することを特徴とする画像供給装置。
【請求項１７】
更に前記送信手段は、前記所定の印刷機能で規定されていない機能に基づく印刷を行うか否かに応じて、前記第１スクリプトを記述内容を変えて送信することを特徴とする請求項１６に記載の画像供給装置。
【手続補正２】
【補正対象書類名】明細書
【補正対象項目名】００１２
【補正方法】変更
【補正の内容】
【００１２】
上記目的を達成するために本発明の一態様に係る印刷装置は以下のような構成を備える。即ち、
画像供給装置から画像データを受信して印刷する印刷装置であって、
前記画像供給装置における印刷機能を記述した第１スクリプトを、前記画像供給装置から受信する受信手段と、
前記受信手段により受信した前記１スクリプトがＸＨＴＭＬによる印刷に対応することを記述している場合、当該記述に対応する印刷が可能かどうかを判定する判定手段と、
前記判定手段が印刷可能と判定すると、前記印刷装置で実行可能な印刷機能を記述した第２スクリプトを前記画像供給装置に送信する送信手段と、
前記判定手段が前記記述に対応する印刷が可能であると判定した場合に、前記画像供給装置から画像データを受信して印刷するモードに移行する手段と、
を有することを特徴とする。
【手続補正３】
【補正対象書類名】明細書
【補正対象項目名】００１３
【補正方法】変更
【補正の内容】
【００１３】
上記目的を達成するために本発明の一態様に係る画像供給装置は以下のような構成を備える。即ち、
印刷装置に画像データを供給して印刷させる画像供給装置であって、
前記画像供給装置において対応可能なＸＨＴＭＬによる印刷機能を記述した第１スクリプトを前記印刷装置に送信する送信手段と、
前記送信手段により送信した前記第１スクリプトに応答して、前記印刷装置から送信される前記印刷装置における印刷機能を記述した第２スクリプトを受信する受信手段と、
前記受信手段により受信した前記第２スクリプトの記述に基づいて、前記画像供給装置からのＸＨＴＭＬによる印刷が前記印刷装置において可能かどうかを判定する判定手段と、
前記判定手段が前記ＸＨＴＭＬによる印刷が可能であると判定した場合に、前記印刷装置にＸＨＴＭＬによる印刷データを送信して印刷させるモードに移行する手段と、を有することを特徴とする。
【手続補正４】
【補正対象書類名】明細書
【補正対象項目名】００１４
【補正方法】変更
【補正の内容】
【００１４】
上記目的を達成するために本発明の一態様に係る印刷システムは以下のような構成を備える。即ち、
画像供給装置と印刷装置とを有し、前記画像供給装置から前記印刷装置に画像データを供給して印刷させる印刷システムであって、
画像供給装置において対応可能なＸＨＴＭＬによる印刷機能を記述した第１スクリプトを印刷装置に送信する送信手段と、
前記印刷装置で受信した前記１スクリプトがＸＨＴＭＬによる印刷に対応することを記述している場合、当該記述に対応する印刷が可能かどうかを判定する判定手段と、
前記判定手段が印刷可能と判定すると、前記印刷装置で実行可能な印刷機能を記述した第２スクリプトを前記画像供給装置に送信する送信手段と、
前記第２スクリプトの記述に基づいて、前記画像供給装置からのＸＨＴＭＬによる印刷が前記印刷装置において可能かどうかを判断する判断手段と、
前記判断手段が前記ＸＨＴＭＬによる印刷が可能であると判断した場合に、前記画像供給装置から前記印刷装置にＸＨＴＭＬによる印刷データを送信して印刷させるモードに移行する手段と、を有することを特徴とする。
【手続補正５】
【補正対象書類名】明細書
【補正対象項目名】００１５
【補正方法】変更
【補正の内容】
【００１５】
上記目的を達成するために本発明の一態様に係る印刷装置の制御方法は以下のような工程を備える。即ち、
画像供給装置から画像データを受信して印刷する印刷装置の制御方法であって、
前記画像供給装置における印刷機能を記述した第１スクリプトを、前記画像供給装置から受信する受信工程と、
前記受信工程で受信した前記１スクリプトがＸＨＴＭＬによる印刷に対応することを記述している場合、当該記述に対応する印刷が可能かどうかを判定する判定工程と、
前記判定工程で印刷が可能であると判定すると、前記印刷装置で実行可能な印刷機能を記述した第２スクリプトを前記画像供給装置に送信する送信工程と、
前記判定工程で前記記述に対応する印刷が可能であると判定した場合に、前記画像供給装置から画像データを受信して印刷するモードに移行する工程と、
を有することを特徴とする。